(57)【要約】【課題】地震による非常時に、使用者が貯湯タンク内の湯水を円滑に使用することのできる貯湯式給湯システムを提供すること。【解決手段】本発明の貯湯式給湯システムは、温水を貯える貯湯タンク７と、使用者に情報を報知する動作を実行可能な報知手段（浴室リモコン２１、台所リモコン３１）と、地震を検知する地震検知手段（地震検出器１０）と、地震検知手段により所定の基準以上の地震が検知された場合に、非常時に貯湯タンク７内の湯水を使用する方法に関する情報を使用者に報知する動作を報知手段に実行させる制御手段（制御部１１）とを備える。【選択図】図１
2013217619.tif 000002
【特許請求の範囲】
【請求項１】
温水を貯える貯湯タンクと、
使用者に情報を報知する動作を実行可能な報知手段と、
地震を検知する地震検知手段と、
前記地震検知手段により所定の基準以上の地震が検知された場合に、非常時に前記貯湯タンク内の湯水を使用する方法に関する情報を使用者に報知する動作を前記報知手段に実行させる制御手段と、
を備える貯湯式給湯システム。
【請求項２】
前記地震検知手段により前記基準以上の地震が検知された場合に、前記制御手段は、前記貯湯タンクの設置場所に関する情報を使用者に報知する動作を前記報知手段に実行させる請求項１記載の貯湯式給湯システム。
【請求項３】
使用者の操作を受け付ける操作手段と、
前記地震検知手段により前記基準以上の地震が検知された場合に、前記操作手段の操作を無効とするチャイルドロックを設定する手段と、
を備える請求項１または２記載の貯湯式給湯システム。
【請求項４】
前記操作部に所定の複数の操作がされた場合に前記チャイルドロックを解除する手段を備える請求項３記載の貯湯式給湯システム。
【請求項５】
前記貯湯タンク内に供給される水が通る入水側配管と、
前記入水側配管を閉止可能な入水側配管開閉弁と、
前記貯湯タンク内から取り出された湯が通る出湯側配管と、
前記出湯側配管を閉止可能な出湯側配管開閉弁と、
前記地震検知手段により前記基準以上の地震が検知された場合に、前記入水側配管開閉弁および前記出湯側配管開閉弁を閉じる弁制御手段と、
を備える請求項１乃至４の何れか１項記載の貯湯式給湯システム。
【請求項６】
前記地震検知手段は、地震による振動を検出する振動検出部を有し、前記振動検出部により検出された振動に基づいて地震を検知する請求項１乃至５の何れか１項記載の貯湯式給湯システム。
【発明の詳細な説明】
【技術分野】
【０００１】
本発明は、貯湯式給湯システムに関する。
【背景技術】
【０００２】
ヒートポンプ等の加熱手段により高温の湯を沸き上げて貯湯タンクに貯え、必要に応じて貯湯タンクから外部へ湯を供給する貯湯式給湯システムが広く用いられている。貯湯タンク内は常に湯水で満たされており、地震による断水、停電等の非常時には、貯湯タンク内に貯えられている湯水を生活用水として使用可能とすることが望まれている。特許文献１には、貯水槽（貯湯タンク）と、貯水槽に水を供給する給水部と、貯水槽から家庭内に水を供給する排水部とを備えた電気温水器に、加速度センサにより地震の揺れを検知する地震検知部を設け、所定の震度以上の地震が検知された場合に、給水部の給水と排水部の排水とを停止させることにより、貯水槽内に水を確保する技術が開示されている。
【先行技術文献】
【特許文献】
【０００３】
【特許文献１】特開２０１０−１２７４７３号公報
【発明の概要】
【発明が解決しようとする課題】
【０００４】
地震による断水、停電等の非常時に、使用者が貯湯タンク内の湯水を使用する際には、貯湯タンクから直接に取水するなど、通常時とは異なる特殊な使用方法が必要となる。このため、そのような非常時の使用方法を使用者が知らなかった場合、使用者が貯湯タンク内の湯水を使用困難となるおそれがある。
【０００５】
また、貯湯タンクを内蔵したタンクユニットは、屋外に設置される場合と屋内に設置される場合との両方があるが、一般には、建物の裏手に設置されたり、集合住宅におけるメーターボックス内に設置されたりするので、使用者が日常的にタンクユニットを目にすることがない場合も多い。このため、非常時に使用者が貯湯タンク内の湯水を使用する必要が生じた際に、貯湯タンクの設置場所が分からないために、貯湯タンク内の湯水を使用困難となる場合もある。
【０００６】
本発明は、上述のような課題を解決するためになされたもので、地震による非常時に、使用者が貯湯タンク内の湯水を円滑に使用することのできる貯湯式給湯システムを提供することを目的とする。
【課題を解決するための手段】
【０００７】
本発明に係る貯湯式給湯システムは、温水を貯える貯湯タンクと、使用者に情報を報知する動作を実行可能な報知手段と、地震を検知する地震検知手段と、地震検知手段により所定の基準以上の地震が検知された場合に、非常時に貯湯タンク内の湯水を使用する方法に関する情報を使用者に報知する動作を報知手段に実行させる制御手段とを備えたものである。
【発明の効果】
【０００８】
本発明によれば、地震が発生した場合に、非常時に貯湯タンク内の湯水を使用する方法を使用者に報知することができるので、使用者が貯湯タンク内の湯水を円滑に使用することが可能となる。
【図面の簡単な説明】
【０００９】
【図１】本発明の実施の形態１の貯湯式給湯システムを示す構成図である。
【図２】本発明の実施の形態１における浴室リモコンを示す斜視図である。
【図３】本発明の実施の形態１における台所リモコンを示す斜視図である。
【図４】本発明の実施の形態１における地震発生時の制御部の制御動作を示すフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯システムを示す構成図である。図１に示すように、本実施形態の貯湯式給湯システムは、タンクユニット１と、加熱手段としてのヒートポンプユニット２と、ユーザーインターフェース装置としての浴室リモコン２１、台所リモコン３１および増設リモコン４１を備えている。タンクユニット１には、貯湯タンク７と、地震検出器１０（地震検知手段）と、本貯湯式給湯システムの動作を制御する制御部１１（制御手段）と、図示しないポンプ類および弁類等が内蔵されている。制御部１１は、通信線５を介してヒートポンプユニット２と接続される。また、制御部１１は、通信線６を介して、浴室リモコン２１、台所リモコン３１および増設リモコン４１とそれぞれ接続される。浴室リモコン２１は浴室の壁に設置され、台所リモコン３１は台所の壁に設置され、増設リモコン４１はそれ以外の箇所に設置される。本実施形態では、このように３台のリモコン装置を設けているが、リモコン装置の台数はこれに限定されるものではなく、１台あるいは２台でもよい。
【００１２】
貯湯タンク７の下部には、水道等の外部の水源から供給される水を貯湯タンク７内に導く入水側配管８が接続されている。入水側配管８の途中には、入水側配管８を閉止可能な入水側配管開閉弁１３が設置されている。入水側配管開閉弁１３は、通信線１６を介して制御部１１と接続されており、制御部１１により開閉が制御される。また、貯湯タンク７は、戻り配管３および往き配管４を介して、ヒートポンプユニット２と接続されている。貯湯タンク７の上部には、貯湯タンク７内から取り出された湯が通る出湯側配管９が接続されている。出湯側配管９の途中には、出湯側配管９を閉止可能な出湯側配管開閉弁１２が設置されている。出湯側配管開閉弁１２は、通信線１４を介して制御部１１と接続されており、制御部１１により開閉が制御される。
【００１３】
地震検出器１０は、通信線１５を介して制御部１１と接続されている。地震検出器１０は、振動を電気信号に変換可能な振動検出部（例えば加速度センサ）を有しており、地震による揺れを振動検出部により検出し、その検出結果を通信線１５を通じて制御部１１に送信可能になっている。
【００１４】
使用者は、浴室リモコン２１、台所リモコン３１、あるいは増設リモコン４１を操作することにより、所望の動作の設定を行うことができる。浴室リモコン２１、台所リモコン３１、あるいは増設リモコン４１で設定された情報は、制御部１１に送信され、制御部１１はその情報に基づいてヒートポンプユニット２やタンクユニット１内のポンプ類および弁類等を制御することにより、沸き上げ運転等の各種の動作を制御する。沸き上げ運転時には、貯湯タンク７内に貯留された水が往き配管４を通ってヒートポンプユニット２に送られ、ヒートポンプユニット２内の加熱熱交換器（図示省略）で沸き上げられた高温の湯が戻り配管３を通って貯湯タンク７に送られ、上部から貯湯タンク７内に流入する。
【００１５】
図２は、本発明の実施の形態１における浴室リモコン２１を示す斜視図である。図２に示すように、浴室リモコン２１は、例えば液晶表示装置あるいは有機ＥＬ表示装置等で構成される浴室リモコン表示部２２と、複数のスイッチを有する浴室リモコン操作部２３（操作手段）と、浴室リモコンスピーカ２４とを備えている。浴室リモコン表示部２２には、貯湯タンク７内に貯えられている湯の温度（貯湯温度）や貯湯量、給湯温度、時刻、沸き上げモードなどの情報が表示可能になっている。使用者は、浴室リモコン操作部２３を操作することにより、貯湯タンク７の沸き上げ目標温度や給湯温度、沸き上げモードなどの設定の変更や、浴室リモコン表示部２２の表示内容の切り替えなどを行うことができる。浴室リモコンスピーカ２４は、浴室リモコン操作部２３の操作時の操作音や報知音を発生する。なお、浴室リモコン２１の構成は上記の構成に限定されるものではなく、例えば、浴室リモコン表示部２２の機能と浴室リモコン操作部２３の機能とを兼ね備えるタッチパネル（タッチスクリーン）を設ける構成としても良い。
【００１６】
図３は、本発明の実施の形態における台所リモコン３１を示す斜視図である。図３に示すように、台所リモコン３１は、台所リモコン表示部３２と、台所リモコン操作部３３と、台所リモコンスピーカ３４とを備えている。台所リモコン３１の構成は、浴室リモコン２１とほぼ同様であるので、説明を省略する。また、増設リモコン４１の構成も、浴室リモコン２１および台所リモコン３１とほぼ同様であるので、説明を省略する。
【００１７】
図４は、本発明の実施の形態１における地震発生時の制御部１１の制御動作を示すフローチャートである。制御部１１は、地震検出器１０にて地震の揺れが検出された場合には、その地震が所定の基準以上であるか否かを判定する（ステップＳ１）。この所定の基準とは、地震後に水道の断水や停電等が発生する可能性がある地震の大きさに相当する値（例えば、震度、振動加速度等）として予め設定されている。
【００１８】
ステップＳ１で基準以上の地震が発生していないと判定された場合には、処理開始に戻る。一方、ステップＳ１で基準以上の地震が発生したと判定された場合には、ステップＳ２へ移行する。ステップＳ２では、出湯側配管開閉弁１２および入水側配管開閉弁１３をそれぞれ閉じる制御が実施される。このように、本実施形態では、基準以上の地震が発生した場合に出湯側配管開閉弁１２および入水側配管開閉弁１３を閉じることにより、出湯側配管９からの漏出や入水側配管８からの濁り水の流入などを予防することができ、確実に貯湯タンク７内の湯水を確保することができる。このため、断水、停電等の非常時に、貯湯タンク７内の湯水を確実に使用することができる。
【００１９】
上記ステップＳ２の処理に続いて、ステップＳ３に移行する。ステップＳ３では、地震の揺れが収まったかどうかを判定し、まだ地震の揺れが収まっていないと判定された場合には処理開始へ戻り、地震の揺れが収まったと判定された場合にはステップＳ４に移行する。ステップＳ４では、非常時に貯湯タンク７内の湯水を使用する方法に関する情報を浴室リモコン２１、台所リモコン３１、あるいは増設リモコン４１から使用者に報知する動作を実行させる。
【００２０】
「非常時に貯湯タンク７内の湯水を使用する方法」とは、本貯湯式給湯システムの取扱説明書に記載されている方法であり、例えば、次のような手順である。（１）タンクユニット１の脚部前面カバーが装着されている場合には脚部前面カバーを取り外す。（２）タンクユニット１の電源レバーを下げ、「切」にする。（３）タンクユニット１の上部に設けられている逃し弁操作窓を開け、逃し弁を開ける。（４）タンクユニット１の下部に設けられている非常用取水栓を開く。このような一連の手順によって非常用取水栓を開くと、逃し弁から貯湯タンク７内に空気が流入可能となるので、貯湯タンク７内の湯水を非常用取水栓からバケツ等に取水することができる。ステップＳ４では、上述したような非常時の使用方法を、浴室リモコン表示部２２や台所リモコン表示部３２などの表示部に図または文章にて表示したり、あるいは、浴室リモコンスピーカ２４や台所リモコンスピーカ３４などのスピーカから音声にてアナウンスすることにより、使用者に報知する動作を実行させる。
【００２１】
上記ステップＳ４の処理に続いて、ステップＳ５に移行する。ステップＳ５では、タンクユニット１（貯湯タンク７）の設置場所を浴室リモコン２１、台所リモコン３１、あるいは増設リモコン４１から使用者に報知する動作を実行させる。ここで、タンクユニット１は、屋外に設置される場合と屋内に設置される場合との両方があり、一般には、建物の裏手に設置されたり、集合住宅におけるメーターボックス内に設置されたりするので、使用者が日常的にタンクユニット１を目にすることがない場合も多い。このため、使用者がタンクユニット１の設置場所を知らなかったり忘れたりしている場合も多い。そこで、本貯湯式給湯システムの設置時に、設置業者あるいは使用者等が、タンクユニット１（貯湯タンク７）の設置場所に関する情報を、浴室リモコン２１、台所リモコン３１、増設リモコン４１、あるいは他の入力装置から入力し、制御部１１に記憶させておく。ステップＳ５では、そのようにして予め制御部１１に記憶されたタンクユニット１（貯湯タンク７）の設置場所に関する情報を、浴室リモコン表示部２２や台所リモコン表示部３２などの表示部に図または文章にて表示したり、あるいは、浴室リモコンスピーカ２４や台所リモコンスピーカ３４などのスピーカから音声にてアナウンスすることにより、使用者に報知する動作を実行させる。
【００２２】
上記ステップＳ５の処理に続いて、ステップＳ６に移行する。ステップＳ６では、浴室リモコン操作部２３、台所リモコン操作部３３、および増設リモコン４１の操作部の操作を無効とするチャイルドロックを設定する。その後、処理開始へ戻る。このようにしてチャイルドロックを自動的に設定することにより、非常時に貯湯タンク７内の湯水を使用する方法やタンクユニット１（貯湯タンク７）の設置場所に関する報知動作が子供などによって勝手に解除されてしまい、使用者が見逃す（聞き逃す）ことを確実に防止することができる。なお、チャイルドロックは、使用者が、浴室リモコン操作部２３、台所リモコン操作部３３、あるいは増設リモコン４１の操作部に、所定の複数の操作を入力することにより、解除されるようになっている。
【００２３】
以上説明したように、本実施形態によれば、地震が発生した場合に、非常時に貯湯タンク７内の湯水を使用する方法を使用者に報知することができる。このため、地震による断水、停電等が発生した際、使用者が、非常時に貯湯タンク７内の湯水を使用する方法を知らなかった場合であっても、貯湯タンク７内の湯水を円滑に使用することが可能となる。
【００２４】
更に、本実施形態では、非常時に貯湯タンク７内の湯水を使用する方法とともに、タンクユニット１（貯湯タンク７）の設置場所を使用者に報知することができるので、使用者が、タンクユニット１（貯湯タンク７）の設置場所を知らなかった場合であっても、貯湯タンク７内の湯水を円滑に使用することが可能となる。
【００２５】
また、本実施形態では、地震による振動を検出する振動検出部を有する地震検出器１０によって地震の揺れを直接に検出するように構成したことにより、地震の発生を確実に検知することができるとともに、タンクユニット１の設置場所における地震の揺れを正確に判定することが可能となる。なお、本発明における地震検知手段は、本実施形態のように地震検出器１０によって地震の揺れを直接に検出して地震の発生を検知する構成に限定されるものではなく、例えば、外部から提供される地震情報（例えば気象庁から配信される緊急地震速報等）を制御部１１が受信可能に構成し、その受信した情報に基づいて所定の基準以上の地震の発生を検知するように構成してもよい。
【符号の説明】
【００２６】
１  タンクユニット、２  ヒートポンプユニット、３  戻り配管、４  往き配管、５，６，１４，１５，１６  通信線、７  貯湯タンク、８  入水側配管、９  出湯側配管、１０  地震検出器、１１  制御部、１２  出湯側配管開閉弁、１３  入水側配管開閉弁、２１  浴室リモコン、２２  浴室リモコン表示部、２３  浴室リモコン操作部、２４  浴室リモコンスピーカ、３１  台所リモコン、３２  台所リモコン表示部、３３  台所リモコン操作部、３４  台所リモコンスピーカ、４１  増設リモコン
【図１】
2013217619.tif 000003
【図２】
2013217619.tif 000004
【図３】
2013217619.tif 000005
【図４】
2013217619.tif 000006